(57)【要約】      （修正有）【課題】撮影機器の揺れを減少させ、且つ撮影機器のパノラマ写真を実現するために、３６０度の回転機能を持つモノポッド回転装置を提供する。【解決手段】メインレバ１と、撮影機器を固定するためのアダプタープラットフォーム２と、アダプタープラットフォーム２を回転可能にメインレバ１上に接続する回転装置を含むモノポッド回転装置であって、回転装置は、メインレバ１外に套設される回転管３と、アダプタープラットフォーム２が回転管３の上端に固定接続される第一接続構造と、メインレバ１の上端に固定接続される第二接続構造と、第一接続構造と第二接続構造との間に設置され、第一接続構造と第二接続構造との間を相対的に回転可能に接続させる回転接続構造とを含むことを特徴とするモノポッド回転装置。【選択図】図２
2015011340.tif 000002
【特許請求の範囲】
【請求項１】
メインレバ（１）と、撮影機器を固定するためのアダプタープラットフォーム（２）と、前記アダプタープラットフォーム（２）を回転可能に前記メインレバ（１）上に接続する回転装置を含むモノポッド回転装置であって、前記回転装置は、
前記メインレバ（１）外に套設される回転管（３）と、
前記アダプタープラットフォーム（２）が前記回転管（３）の上端に固定接続される第一接続構造と、
前記メインレバ（１）の上端に固定接続される第二接続構造と、
前記第一接続構造と前記第二接続構造との間に設置され、前記第一接続構造と前記第二接続構造との間を相対的に回転可能に接続させる回転接続構造とを含むことを特徴とするモノポッド回転装置。
【請求項２】
前記第一接続構造は、軸方向に上部コネクタ内部ネジ孔を成形する上部コネクタ（４１）と、前記アダプタープラットフォーム（２）がそれによって前記上部コネクタ内部ネジ孔を貫通して前記上部コネクタ（４１）に接続されるアダプターネジ（４２）とを含み、前記回転管（３）の上端の内壁と前記上部コネクタ（４１）の外壁との間はネジ方式で接続され、
前記第二接続構造はメインレバコネクタ（５１）を含み、前記メインレバ（１）の上端の内壁と前記メインレバコネクタ（５１）との間はネジ方式でネジ接続され、
前記回転接続構造は、前記上部コネクタ（４１）と前記メインレバコネクタ（５１）との間に設置され、軸方向にその内壁が前記上部コネクタ（４１）の下端の外壁にネジ接続される階段孔を成形する接続ベース（６１）と、そのヘッドが前記階段孔に位置し、且つ前記階段孔の階段面に当接し、そのネジ棒形状の部分が前記階段孔から伸びだし、前記メインレバコネクタ（５１）に成形する第一メインレバネジ孔に接続される接続ネジ（６２）とを含むことを特徴とする請求項１に記載のモノポッド回転装置。
【請求項３】
前記接続ベース（６１）はバレル形状に呈し、且つバレルの底面上に中心孔を成形し、前記階段孔は前記接続ベース（６１）のバレル形状のキャビティと前記中心孔からなり、前記メインレバコネクタ（５１）上に前記接続ベース（６１）の下端が収容することに適する収容キャビティを成形し、前記第一メインレバのネジ孔は同軸に前記収容キャビティの下端に設置されて連通されることを特徴とする請求項２に記載のモノポッド回転装置。
【請求項４】
前記上部コネクタ（４１）の前記上部コネクタ内部ネジ孔は前記上部コネクタ（４１）の下端に設置され、挿入孔は前記上部コネクタ（４１）の上端に設置され、且つ前記上部コネクタ内部ネジ孔に同軸に連通して設置され、前記アダプタープラットフォーム（２）の下端に前記挿入孔を挿入することに適するボスを成形し、前記アダプタープラットフォーム（２）に軸方向に階段孔は設けられ、且つ前記階段孔は前記ボス上から貫通し、前記アダプターネジ（４２）はその中間に保持フランジが設けられ、両端にネジ山が設けられるスタッドであり、前記スタッドの保持フランジは前記アダプタープラットフォーム（２）の段階面に当接し、前記スタッドの下端は前記挿入孔を貫通して前記トップ内部ネジ孔内にねじ込まれ、前記上部コネクタ（４１）の側壁上に半径方向に前記上部コネクタ内部ネジ孔に連通される半径方向のネジ孔を成形し、締め付けネジ（８４）は前記半径方向のネジ孔を貫通して前記アダプタープラットフォーム（２）上における前記ボスに当接して前記アダプタープラットフォーム（２）をロックすることを特徴とする請求項２または３に記載のモノポッド回転装置。
【請求項５】
前記第一接続構造は、軸方向にトップ内部ネジ孔を成形するトップコネクタ（４３）と、前記アダプタープラットフォーム（２）がそれによって前記トップ内部ネジ孔を貫通して前記トップコネクタ（４３）上に接続されるアダプターネジ（４２）と、前記トップコネクタ（４３）と前記回転管（３）の上端との間に設置され、前記回転管（３）の上端は前記トップコネクタ（４３）にネジ接続されることに適し、前記回転管（３）の下端は前記回転管（３）の上端にネジ接続されることに適する回転管接続ベース（４４）とを含み、
前記第二接続構造はメインレバコネクタ（５１）であり、前記メインレバコネクタ（５１）の下端の内壁は前記メインレバ（１）の上端の外壁にネジ接続され、
前記回転接続構造は接続ネジ（６２）であり、前記回転管接続ベース（４４）に貫通孔を成形し、前記メインレバコネクタ（５１）上に前記貫通孔と同軸である第二メインレバネジ孔を成形し、前記接続ネジ（６２）は順次に前記貫通孔、前記第二メインレバネジ孔を貫通して、前記回転管接続ベース（４４）が前記メインレバコネクタ（５１）に接続されることを特徴とする請求項１に記載のモノポッド回転装置。
【請求項６】
前記トップコネクタ（４３）の下端面上に円筒状のボスを成形し、前記第二メインレバ内部ネジ孔を前記円筒状のボス上に成形し、前記接続ネジ（６２）のヘッドの端面の中心に前記円筒状のボスを挿入することに適する挿入孔を成形することを特徴とする請求項５に記載のモノポッド回転装置。
【請求項７】
前記トップコネクタ（４３）の前記トップ内部ネジ孔は前記トップコネクタ（４３）の下端に設置され、挿入孔は前記トップコネクタ（４３）の上端に設置され、且つ前記トップ内部ネジ孔に同軸に連通して設置され、前記アダプタープラットフォーム（２）の下端に前記挿入孔を挿入することに適するボスを成形し、前記アダプタープラットフォーム（２）に軸方向に階段孔は設けられ、且つ前記階段孔は前記ボス上から貫通し、前記アダプターネジ（４２）はその中間に保持フランジが設けられ、両端にネジ山が設けられるスタッドであり、前記スタッドの保持フランジは前記アダプタープラットフォーム（２）の段階面に当接し、前記スタッドの下端は前記挿入孔を貫通して前記トップ内部ネジ孔内にねじ込まれ、前記トップコネクタ（４３）の側壁上に半径方向に前記トップ内部ネジ孔に連通される半径方向のネジ孔を成形し、締め付けネジ（８４）は前記半径方向のネジ孔を貫通して前記アダプタープラットフォーム（２）上における前記ボスに当接して前記アダプタープラットフォーム（２）をロックすることを特徴とする請求項５または６に記載のモノポッド回転装置。
【請求項８】
前記メインレバ（１）外に、前記回転管（３）内に套設され、その上端は前記メインレバコネクタ（５１）に接続される固定レバ（７１）と、
円錐形に呈し、前記回転管（３）の下端に設置され、且つ前記回転管（３）の内壁と前記固定レバ（７１）の外壁との間に位置するロック口（７２）と、
円錐形の前記ロック口（７２）に挿入してロックと協力するロックリング（７３）と、前記ロックリング（７３）に接続されるロックノブ（７４）を含み、前記ロックノブ（７４）は前記固定レバ（７１）に沿って軸方向に往復変位する方式で前記固定レバ（７１）の下端に設置され、前記ロックリング（７３）は前記ロック口（７２）に挿入または脱出するように駆動されるロック部品とを含む、ロック構造をさらに含む請求項１−７のいずれか一項に記載のモノポッド回転装置。
【請求項９】
前記回転管（３）の下端に、それにネジ接続される回転管の下部コネクタ（３１）は設けられ、前記ロック口（７２）は前記回転管の下部コネクタ（３１）のキャビティと前記固定レバ（７１）の外壁から嵌合してなることを特徴とする請求項８に記載のモノポッド回転装置。
【請求項１０】
前記回転管の下部コネクタ（３１）と前記回転管（３）との相互の接続箇所の下方にその内にゴムリング（３２）が套設される凹溝をさらに成形することを特徴とする請求項９に記載のモノポッド回転装置。
【請求項１１】
前記ロックノブ（７４）はネジ接続方式で前記固定レバ（７１）の下端に設置されることを特徴とする請求項１０に記載のモノポッド回転装置。
【請求項１２】
前記固定レバ（７１）の下端に、前記ロックノブ（７４）がその上にネジ接続される固定レバ下部コネクタ（７５）は設けられることを特徴とする請求項１１に記載のモノポッド回転装置。
【請求項１３】
前記ロックリング（７３）の外側壁上に凹溝を成形し、前記ロックノブ（７４）の内側壁上に前記凹溝内に挿入される凸起を成形し、前記ロックノブ（７４）は凹溝と凸起との嵌合によって前記ロックリング（７３）がロックまたは引込めるように駆動されることを特徴とする請求項１２に記載のモノポッド回転装置。
【請求項１４】
前記回転管（３）の下端に、前記メインレバ（１）上に套設される摩耗防止リング（８１）は接続されることを特徴とする請求項１−１２のいずれか一項に記載のモノポッド回転装置。
【請求項１５】
前記接続ネジ（６２）と前記接続ベース（６１）との間に座金（８２）はさらに設けられることを特徴とする請求項２または３に記載のモノポッド回転装置。
【請求項１６】
前記アダプタープラットフォーム（２）下にリストストラップのボタン（８３）はさらに設けられることを特徴とする請求項１−１５のいずれか一項に記載のモノポッド回転装置。
【請求項１７】
前記回転管（３）上にハンドガード（８５）はさらに套設されることを特徴とする請求項１−１５のいずれか一項に記載のモノポッド回転装置。
【発明の詳細な説明】
【技術分野】
【０００１】
本発明は撮像機器に適用する回転装置に関し、具体的には撮像機器に適用するモノポッド回転装置に関する。
【背景技術】
【０００２】
撮影機器で撮像する時に、写真時の撮影機器の揺れを減少させ、撮影の品質を向上させるために、多くの場合には撮影機器を固定するためのポッドを用いることで写真を支援させ、且つ撮影機器のパノラマ写真を実現できるために、使用しているポッドは３６０度の回転機能を持つことは要求される。
【０００３】
中国の特許文献ＣＮ１０１２７３２２９Ａには、モノポッドサポータにおいて、撮像装置用のベースと付属部材はレバの相応的な長手方向の反対端に設置され、上記ベースは地面上に支持するためのベアリングとして使用され、それはボールジョイントを有するヒンジ連結部材を更に含み、上記レバは上記ヒンジ連結部材によって上記ベースに対して指向でき、上記ボールジョイントはそのハンドル部によってカップ形状の部材に接続され、上記レバの下端はスリーブに挿入するように上記カップ形状の部材中に嵌合される特に撮影用のモノポッドサポータ流体ダンパーを開示する。即ち、該モノポッドサポータにおいて、上記ボールジョイントを有する上記ヒンジ連結部材の作用で、上記レバを上記ベースに対して上記レバの基本的な長手方向の軸線を巡って回転させることによって、上記撮像装置の３６０度パノラマの回転を実現する。上記特許文献に記載のモノポッドサポータは、該特許文献において、撮像装置の回転角度を調整するための回転構造は挿入レバが受けカップに挿入するように嵌合され、挿入レバと受けカップとの間には隙間が存在し、且つ受けカップはベースに近づき、アダプタープラットフォームから離れる箇所に設置されるので、挿入レバは受けカップ内にわずかに回転する時に、挿入レバの上端に位置する撮像装置は明らかに振動することを引き起こすように、撮像画面を安定せず、撮像品質が悪く、そのために、その受けカップと挿入レバとの間に回転時の撮像装置の振動を吸収して減少するための相応的な減衰装置は設置される必要があり、しかし、該減衰装置はダンパー用オイルで減衰するので、構造的に高いシール性は要求され、また、暫く使用した後、シールリングは老化して破損され、内部のダンパー用オイルは徐々に消費されまたは漏れたので減衰効果は大幅に低下され、モノポッドを解体してダンパー用オイルを添加して再構成して作動させる必要があり、ユーザーに多くの不便をもたらすという欠点がある。
【０００４】
上記問題を解決するために、中国特許ＣＮ２０２３６２５７６Ｕにはビデオカメラ用の固定ネジ、ユニレバサルジョイント、張力調整ネジ、内部プルロッド、外管、締め付けキャップおよびベースからなり、ビデオカメラ用の固定ネジはユニレバサルジョイントキャップ上に固定され、内部プルロッドはユニレバサルジョイントボール下に固定され、ユニレバサルジョイントボールはユニレバサルジョイントキャップ内にカバーされ、ユニレバサルジョイントキャップの側面にユニレバサルジョイントボールをロックする張力調整ネジを有し、ベースは外管の底部に固定され、内部プルロッドと外管との間は締め付けキャップでロックされるビデオカメラのモノポッドを開示する。該特許文献に記載のビデオカメラのモノポッドには、撮像装置はビデオカメラ用の固定ネジによってモノポッドの上端に接続され、回転を必要とする時に、張力調整ネジを回転させ、ユニレバサルジョイントボールのロックを解除させ、さらにユニレバサルジョイントキャップを回転させ、ユニレバサルジョイントキャップは撮像装置が内部プルロッドと外管に対して回転するように連動され、それによって撮像装置の３６０度パノラマの回転を実現するが、撮像装置を固定する必要がある時に、張力調整ネジを締め付け、ユニレバサルジョイントボールをロックさせ、ユニレバサルジョイントキャップと撮像装置は固定され、外力の作用下で回転することがない。
【０００５】
上記特許文献に記載のビデオカメラのモノポッドは、撮影装置の角度を水平に調整する必要がある時に、該従来の技術中における回転構造はユニレバサルジョイントキャップとユニレバサルジョイントボールとの嵌合を採用するので、手動でユニレバサルジョイントキャップを回転させる時に、ユニレバサルジョイントキャップの軸線は水平に回転する過程には上記ユニレバサルジョイントボールの垂直方向の軸線に対して傾斜されないことを保証することが困難であり、そのために、精確な撮影角度を取得することに不利であり、また、ユニレバサルジョイントキャップとユニレバサルジョイントボールをロックする構造は突出するように設置される調整ネジであり、全体のモノポッドの外観に影響を及ぼし、且つ突出するネジは撮影者の衣服を捕らえることが容易であるという欠点がある。
【先行技術文献】
【特許文献】
【０００６】
【特許文献１】中国特許ＣＮ１０１２７３２２９Ａ
【特許文献２】中国特許ＣＮ２０２３６２５７６Ｕ
【発明の概要】
【発明が解決しようとする課題】
【０００７】
そのために、本発明の解決しようとする技術的問題は、従来の技術中におけるビデオカメラのモノポッドは、その構造が合理ではなく、調整角度が精確ではなく、使用に不便であるものであり、さらに構造が合理で、使用に便利であるモノポッド回転装置を提供する。
【０００８】
前記技術的問題を解決するために、本発明のモノポッド回転装置は、メインレバと、撮影機器を固定するためのアダプタープラットフォームと、前記アダプタープラットフォームを回転可能に前記メインレバ上に接続する回転装置を含み、前記回転装置は、
前記メインレバ外に套設される回転管と、
前記アダプタープラットフォームが前記回転管の上端に固定接続される第一接続構造と、
前記メインレバの上端に固定接続される第二接続構造と、
前記第一接続構造と前記第二接続構造との間に設置され、前記第一接続構造と前記第二接続構造との間を相対的に回転して接続させる回転接続構造とを含むことを特徴とする。
【０００９】
前記第一接続構造は、軸方向に上部コネクタ内部ネジ孔を成形する上部コネクタと、前記アダプタープラットフォームがそれによって前記上部コネクタ内部ネジ孔を貫通して前記上部コネクタに接続されるアダプターネジとを含み、前記回転管の上端の内壁と前記上部コネクタの外壁との間はネジ方式で接続され、
前記第二接続構造はメインレバコネクタを含み、前記メインレバ上端の内壁と前記メインレバコネクタとの間はネジ方式でネジ接続され、
前記回転接続構造は、前記上部コネクタと前記メインレバコネクタとの間に設置され、軸方向にその内壁が前記上部コネクタの下端の外壁にネジ接続される階段孔を成形する接続ベースと、そのヘッドが前記階段孔に位置し、且つ前記階段孔の階段面に当接し、そのネジ棒形状の部分が前記階段孔から伸びだし、前記メインレバコネクタに成形する第一メインレバネジ孔に接続される接続ネジとを含む。
【００１０】
前記接続ベースはバレル形状に呈し、且つバレルの底面上に中心孔を成形し、前記階段孔は前記接続ベースのバレル形状のキャビティと前記中心孔からなり、前記メインレバコネクタ上に前記接続ベースの下端が収容することに適する収容キャビティを成形し、前記第一メインレバネジ孔は同軸に前記収容キャビティの下端に設置されて連通される。
【００１１】
前記上部コネクタの前記上部コネクタ内部ネジ孔は前記上部コネクタの下端に設置され、挿入孔は前記上部コネクタの上端に設置され、且つ前記上部コネクタ内部ネジ孔に同軸に連通して設置され、前記アダプタープラットフォームの下端に前記挿入孔を挿入することに適するボスを成形し、前記アダプタープラットフォームに軸方向に階段孔は設けられ、且つ前記階段孔は前記ボス上から貫通し、前記アダプターネジはその中間に保持フランジが設けられ、両端にネジ山が設けられるスタッドであり、前記スタッドの保持フランジは前記アダプタープラットフォームの段階面に当接し、前記スタッドの下端は前記挿入孔を貫通して前記トップ内部ネジ孔内にねじ込まれ、前記上部コネクタの側壁上に半径方向に前記上部コネクタ内部ネジ孔に連通される半径方向のネジ孔を成形し、締め付けネジは前記半径方向のネジ孔を貫通して前記アダプタープラットフォーム上における前記ボスに当接して前記アダプタープラットフォームをロックする。
【００１２】
前記第一接続構造は、軸方向にトップ内部ネジ孔を成形するトップコネクタと、前記アダプタープラットフォームがそれによって前記トップ内部ネジ孔を貫通して前記トップコネクタ上に接続されるアダプターネジと、前記トップコネクタと前記回転管の上端との間に設置され、前記回転管の上端は前記トップコネクタにネジ接続されることに適し、前記回転管の下端は前記回転管の上端にネジ接続されることに適する回転管接続ベースとを含み、
前記第二接続構造はメインレバコネクタであり、前記メインレバコネクタの下端の内壁は前記メインレバの上端の外壁にネジ接続され、
前記回転接続構造は接続ネジであり、前記回転管接続ベースに貫通孔を成形し、前記メインレバコネクタ上に前記貫通孔と同軸である第二メインレバネジ孔を成形し、前記接続ネジは順次に前記貫通孔、前記第二メインレバネジ孔を貫通して、前記回転管接続ベースが前記メインレバコネクタに接続される。
【００１３】
前記トップコネクタの下端面上に円筒状のボスを成形し、前記第二メインレバ内部ネジ孔を前記円筒状のボス上に成形し、前記接続ネジのヘッドの端面の中心に前記円筒状のボスを挿入することに適する挿入孔を成形する。
【００１４】
前記トップコネクタの前記トップ内部ネジ孔は前記トップコネクタの下端に設置され、挿入孔は前記トップコネクタの上端に設置され、且つ前記トップ内部ネジ孔に同軸に連通するように設置され、前記アダプタープラットフォームの下端に前記挿入孔を挿入することに適するボスを成形し、前記アダプタープラットフォームに軸方向に階段孔は設けられ、且つ前記階段孔は前記ボス上から貫通し、前記アダプターネジはその中間に保持フランジが設けられ、両端にネジ山が設けられるスタッドであり、前記スタッドの保持フランジは前記アダプタープラットフォームの段階面に当接し、前記スタッドの下端は前記挿入孔を貫通して前記トップ内部ネジ孔内にねじ込まれ、前記トップコネクタの側壁上に半径方向に前記トップ内部ネジ孔に連通される半径方向のネジ孔を成形し、締め付けネジは前記半径方向のネジ孔を貫通して前記アダプタープラットフォーム上における前記ボスに当接して前記アダプタープラットフォームをロックする。
【００１５】
ロック構造をさらに含み、前記ロック構造は、
前記メインレバ外に、前記回転管内に套設され、その上端は前記メインレバコネクタに接続される固定レバと、
円錐形に呈し、前記回転管の下端に設置され、且つ前記回転管の内壁と前記固定レバの外壁との間に位置するロック口と、
円錐形の前記ロック口に挿入してロックと協力するロックリングと、前記ロックリングに接続されるロックノブを含み、前記ロックノブは前記固定レバに沿って軸方向に往復変位する方式で前記固定レバの下端に設置され、前記ロックリングは前記ロック口に挿入または脱出するように駆動されるロック部品とを含む。
【００１６】
前記回転管の下端に前記回転管の下端にネジ接続される回転管の下部コネクタは設けられ、前記ロック口は前記回転管の下部コネクタのキャビティと前記固定レバの外壁から嵌合してなる。
【００１７】
前記回転管の下部コネクタと前記回転管との相互の接続箇所の下方にその内にゴムリングを套設する凹溝は成形される。
【００１８】
前記ロックノブはネジ接続方式で前記固定レバの下端に設置される。
【００１９】
前記固定レバの下端に前記ロックノブがその上にネジ接続される固定レバの下部コネクタは設けられる。
【００２０】
前記ロックリングの外側壁上に凹溝を成形し、前記ロックノブの内側壁上に前記凹溝内に挿入される凸起を成形し、前記ロックノブは凹溝と凸起との嵌合によって前記ロックリングがロックまたは引込めるように駆動される。
【００２１】
前記回転管の下端に、前記メインレバ上に套設される摩耗防止リングは接続される。
【００２２】
前記接続ネジと前記接続ベースとの間に座金はさらに設けられる。
【００２３】
前記アダプタープラットフォーム下にリストストラップのボタンはさらに設けられる。
【００２４】
前記第一接続構造の側面に、前記第一接続構造を貫通して前記アダプタープラットフォームに当接する締め付けネジは設けられる。
【００２５】
前記回転管上にハンドガードはさらに套設される。
【００２６】
本発明の前記技術方案は従来の技術に比べて以下の利点を有する：
（１）本発明に記載のモノポッド回転装置は、アダプタープラットフォーム上における撮影機器の３６０度の角度の調整を実現でき、且つ回転を実現する各部分構造はいずれも回転管内に位置し、外観から非常にきれいである。
【００２７】
（２）本発明に記載のモノポッド回転装置において、前記回転管をロックし、モノポッド回転装置が外力または偶然の接触の作用下で回転し、撮影機器の撮影または撮像角度は精確ではなくまたは画面の品質は悪いことを引き起こすことを防止することができるロック構造をさらに含む。
【００２８】
（３）本発明に記載のモノポッド回転装置において、前記回転管の下端に、前記メインレバ上に套設されて前記回転管は回転過程には前記メインレバに摩擦されて前記回転管または前記メインレバは摩損されることを引き起こすことを防止することができる摩耗防止リングは接続される。
【００２９】
（４）本発明に記載のモノポッド回転装置において、前記接続ネジと前記接続ベースとの間に、前記接続ベースが回転過程には前記接続ネジに摩損されることを防止することができる座金はさらに設けられる。
【００３０】
（５）本発明に記載のモノポッド回転装置において、前記アダプタープラットフォーム下に、ユーザーがモノポッドを使用または運搬する過程には前記リストストラップのボタンを便利にリスト上にカバーするように、該モノポッドは偶然に落下またはドロップして装置の損傷を引き起こすことを防止することができるリストストラップのボタンはさらに設けられる。
【００３１】
（６）本発明に記載のモノポッド回転装置において、前記回転管上に、回転過程における該モノポッド回転装置の使用手触りを改善できるハンドガードはさらに套設される。
【図面の簡単な説明】
【００３２】
本発明の内容はさらに明確に理解されやすいために、以下に本発明の具体的な実施例と図面を組み合わせ、本発明をさらに詳細に説明する。
【００３３】
【図１】図１は本発明に記載のモノポッド回転装置の実施例一の分解模式図である。
【図２】図２は本発明に記載のモノポッド回転装置の実施例一の組み合わせ模式図である。
【図３】図３は図１に示すモノポッド回転装置をロック時の構造模式図である。
【図４】図４は図１に示すモノポッド回転装置のロックを解除時の構造模式図である。
【図５】図５は本発明に記載のモノポッド回転装置の実施例二の分解模式図である。
【図６】図６は本発明に記載のモノポッド回転装置の実施例二の組み合わせ模式図である。
【発明を実施するための形態】
【００３４】
以下に図面を組み合わせ、以下の実施例を用いて本発明をさらに説明する。
【００３５】
実施例１
図１−２に示すように、本実施例に記載のモノポッド回転装置は、メインレバ１、撮影機器を固定するアダプタープラットフォーム２、および上記アダプタープラットフォーム２を回転可能に上記メインレバ１上に接続する回転装置を含み、上記回転装置は、上記メインレバ１外に套設される回転管３、上記アダプタープラットフォーム２を上記回転管３の上端に固定接続する第一接続構造、上記メインレバ１の上端に固定接続される第二接続構造、および上記第一接続構造と上記第二接続構造との間に設置され、上記第一接続構造と上記第二接続構造との間を相対的に回転して接続させる回転接続構造を含むことを分かる。本実施例において、上記回転接続構造が設置されることによって上記第一接続構造は上記第二接続構造に相対的に回転できるように接続され、上記回転管３を回転させ、上記第一接続構造は上記回転接続構造の作用下で、上記アダプタープラットフォーム２を、上記第二接続構造に対して３６０度で回転するように連動させ、上記アダプタープラットフォーム２上に接続される撮影機器の３６０度の回転を実現し、該モノポッド回転装置は、その構造が合理的で、アダプタープラットフォーム上における撮影機器の３６０度の角度調整を非常に便利に実現できるだけでなく、且つ各部分構造はいずれも回転管内に位置し、そのために、全体のモノポッドは外観から非常にきれいである。
【００３６】
好ましい実施形態として、本実施例において、上記第一接続構造は、上部コネクタ内部ネジ孔を軸方向に成形する上部コネクタ４１と、上記アダプタープラットフォーム２はそれによって上記上部コネクタ内部ネジ孔を貫通して上記上部コネクタ４１上に接続されるアダプターネジ４２とを含み、上記回転管３の上端の内壁と上記上部コネクタ４１の外壁との間はネジ方式で接続され、上記第二接続構造はメインレバコネクタ５１を含み、上記メインレバ１の上端の内壁と上記メインレバコネクタ５１の外壁との間はネジ方式でネジ接続され、上記回転接続構造は、上記上部コネクタ４１と上記メインレバコネクタ５１との間に設置され、その内壁が上記上部コネクタ４１の下端の外壁にネジ接続される段階孔を軸方向に成形する接続ベース６１と、そのヘッドが上記段階孔内に位置し、且つ上記段階孔の段階面に当接し、そのネジ棒形状の部分が上記段階孔から伸びだし、上記メインレバコネクタ５１上に成形する第一メインレバネジ孔に接続される接続ネジ６２とを含む。
【００３７】
上記上部コネクタ４１の上記上部コネクタ内部ネジ孔は上記上部コネクタ４１の下端に設置され、挿入孔は上記上部コネクタ４１の上端に設置され、且つ上記上部コネクタ内部ネジ孔に同軸に連通して設置され、上記アダプタープラットフォーム２の下端に上記挿入孔を挿入することに適するボスを成形し、上記アダプタープラットフォーム２に軸方向に階段孔は設けられ、且つ上記階段孔は上記ボス上から貫通し、上記アダプターネジ４２はその中間に保持フランジが設けられ、両端にネジ山が設けられるスタッドであり、上記スタッドの保持フランジは上記アダプタープラットフォーム２の段階面に当接し、上記スタッドの下端は上記挿入孔を貫通して上記トップ内部ネジ孔内にねじ込まれ、上記上部コネクタ４１の側壁上に半径方向に上記上部コネクタ内部ネジ孔に連通される半径方向のネジ孔を成形し、締め付けネジ８４は上記半径方向のネジ孔を貫通して上記アダプタープラットフォーム２上における上記ボスに当接して上記アダプタープラットフォーム２をロックする。
【００３８】
本実施例において、上記接続ベース６１はバレル形状に呈し、且つバレルの底面上に中心孔を成形し、上記階段孔は上記接続ベース６１のバレル形状のキャビティと上記中心孔からなり、上記メインレバコネクタ５１上に上記接続ベース６１の下端が収容することに適する収容キャビティを成形し、上記第一メインレバのネジ孔は同軸に上記収容キャビティの下端に設置されて連通される。さらに、本実施例において、上記接続ネジ６２と上記接続ベース６１との間に、回転過程には上記接続ベース６１が上記接続ネジ６２に直接に摩擦されて摩損されることを避けることができる座金８２はさらに設けられる。
【００３９】
上記実施例に基づいて、本実施例において、上記メインレバ１外に、上記回転管３内に套設され、その上端が上記メインレバコネクタ５１に接続される固定レバ７１と、円錐形に呈し、上記回転管３の下端に設置され、且つ上記回転管３の内壁と上記固定レバ７１の外壁との間に位置するロック口７２と、円錐形の上記ロック口７２に挿入してロックと協力するロックリング７３及び上記ロックリング７３に接続されるロックノブ７４を含み、上記ロックノブ７４は上記固定レバ７１に沿って軸方向に往復変位する方式で上記固定レバ７１の下端に設置され、上記ロックリング７３は上記ロック口７２に挿入または脱出するように駆動されるロック部品とを含むロック構造はさらに設けられる。本実施例において、上記ロック構造は上記回転管３をロックし、モノポッド回転装置が外力または偶然の接触の作用下で不要に回転し、撮影機器の撮影または撮像角度は精確ではなくまたは画面の品質は悪いことを引き起こすことを防止することができる。
【００４０】
図３−４に示すように、上記回転管３の下端に、それにネジ接続される回転管下部コネクタ３１は設けられ、上記ロック口７２は上記回転管下部コネクタ３１のキャビティと上記固定レバ７１の外壁から嵌合してなり、上記回転管下部コネクタ３１と上記回転管３との相互の接続箇所の下方にその内にゴムリング３２が套設される凹溝をさらに成形し、上記ロックノブ７４はネジ接続方式で上記固定レバ７１の下端に設置され、上記固定レバ７１の下端に上記ロックノブ７４がその上にネジ接続される固定レバ下部コネクタ７５は設けられ、上記ロックリング７３の外側壁上に凹溝を成形し、上記ロックノブ７４の内側壁上に上記凹溝内に挿入される凸起を成形し、上記ロックノブ７４は凹溝と凸起との嵌合によって上記ロックリング７３がロックまたは引込めるように駆動されることを分かる。
【００４１】
さらに、上記実施例に基づいて、本実施例において、上記アダプタープラットフォーム２下に、ユーザーがモノポッドを使用または運搬する過程には上記リストストラップのボタン８３をリスト上にカバーするように、該モノポッドは偶然に落下またはドロップして装置の損傷を引き起こすことを防止することができるリストストラップのボタン８３はさらに設けられ、上記第一接続構造の側面に、上記第一接続構造を貫通して上記アダプタープラットフォーム２に当接し、上記アダプタープラットフォーム２と上記第一接続構造をさらにロックする締め付けネジ８４は設けられ、上記回転管３上に、回転過程における該モノポッド回転装置の使用手触りを改善でき、使用手触りをよりよくするハンドガードはさらに套設される。
【００４２】
実施例２
図５−６に示すように、上記実施例中における第一、二接続構造及び回転接続構造の変換可能な実施形態として、本実施例において、上記第一接続構造は、軸方向にトップ内部ネジ孔を成形するトップコネクタ４３と、上記アダプタープラットフォーム２がそれによって上記トップ内部ネジ孔を貫通して上記トップコネクタ４３上に接続されるアダプターネジ４２と、上記トップコネクタ４３と上記回転管３の上端との間に設置され、上記回転管３の上端は上記トップコネクタ４３にネジ接続されることに適し、上記回転管３の下端は上記回転管３の上端にネジ接続されることに適する回転管接続ベース４４とを含み、上記第二接続構造はメインレバコネクタ５１であり、上記メインレバコネクタ５１の下端の内壁は上記メインレバ１の上端の外壁にネジ接続され、上記回転接続構造は接続ネジ６２であり、上記回転管接続ベース４４に貫通孔を成形し、上記メインレバコネクタ５１上に上記貫通孔と同軸である第二メインレバネジ孔を成形し、上記接続ネジ６２は順次に上記貫通孔、上記第二メインレバネジ孔を貫通して、上記回転管接続ベース４４が上記メインレバコネクタ５１に接続されることを分かる。
【００４３】
上記トップコネクタ４３の上記トップ内部ネジ孔は上記トップコネクタ４３の下端に設置され、挿入孔は上記トップコネクタ４３の上端に設置され、且つ上記トップ内部ネジ孔に同軸に連通して設置され、上記アダプタープラットフォーム２の下端に上記挿入孔を挿入することに適するボスを成形し、上記アダプタープラットフォーム２に軸方向に階段孔は設けられ、且つ上記階段孔は上記ボス上から貫通し、上記アダプターネジ４２はその中間に保持フランジが設けられ、両端にネジ山が設けられるスタッドであり、上記スタッドの保持フランジは上記アダプタープラットフォーム２の段階面に当接し、上記スタッドの下端は上記挿入孔を貫通して上記トップ内部ネジ孔内にねじ込まれ、上記トップコネクタ４３の側壁上に半径方向に上記トップ内部ネジ孔に連通される半径方向のネジ孔を成形し、締め付けネジ８４は上記半径方向のネジ孔を貫通して上記アダプタープラットフォーム２上における上記ボスに当接して上記アダプタープラットフォーム２をロックする。
【００４４】
本実施例において、上記トップコネクタ４３の下端面上に円筒状のボスを成形し、上記第二メインレバ内部ネジ孔を上記円筒状のボス上に成形し、上記接続ネジ６２のヘッドの端面の中心に上記円筒状のボスを挿入することに適する挿入孔を成形する。
【００４５】
上記実施例に基づいて、本実施例において、上記回転管３の下端に、上記メインレバ１上に套設されて上記回転管３は回転過程には上記メインレバ１に摩擦されて上記回転管３または上記メインレバ１は摩損されることを引き起こすことを防止することができる摩耗防止リング８１は接続される。
【００４６】
もちろん、上記実施例は明確な説明のために挙げられるだけで、実施形態が制限されると思えるものではない。本分野の当業者にとって、上記説明に基づいて、その他の異なる形式の変化または変更を行うことができる。全ての実施形態を挙げる必要がなく、その全部を挙げられるのは不可能なことである。それからの明らかな変化または変更は、依然として本発明の保護範囲に含まれる。
【符号の説明】
【００４７】
１−メインレバ、２−アダプタープラットフォーム、３−回転管、３１−回転管下部コネクタ、３２−ゴムリング、４１−上部コネクタ、４２−アダプターネジ、４３−トップコネクタ、４４−回転管接続ベース、５１−メインレバコネクタ、６１−接続ベース、６２−接続ネジ、７１−固定レバ、７２−ロック口、７３−ロックリング、７４−ロックノブ、７５−固定レバの下部コネクタ、８１−摩耗防止リング、８２−座金、８３−リストストラップのボタン、８４−締め付けネジ、８５−ハンドガード。
【図１】
2015011340.tif 000003
【図２】
2015011340.tif 000004
【図３】
2015011340.tif 000005
【図４】
2015011340.tif 000006
【図５】
2015011340.tif 000007
【図６】
2015011340.tif 000008
【外国語明細書】
2015011340000001.pdf
2015011340000002.pdf
2015011340000003.pdf
2015011340000004.pdf